(57)【要約】【課題】軸受回転時の保持器の挙動の安定化を図り、異音の発生を抑制することができるようにしたアンギュラ玉軸受を提供することである。【解決手段】外輪１と内輪２間に組込まれた保持器３にポケット７を形成し、そのポケット７内にボール４を組込む。ポケット７の保持器周方向で対向する一対の端面７ａ，７ｂを、ボール４の中心および軸受中心線を含む仮想平面に平行する平面とし、軸受回転時に保持器３が軸方向に変位した場合でも、ボール４から保持器３に保持器周方向の荷重のみが負荷されるようにして保持器３の挙動の安定化を図り、異音の発生を抑制する。【選択図】図２
2007170470.tif 000002
【特許請求の範囲】
【請求項１】
ボール組込み用の複数のポケットが周方向に間隔をおいて形成された軌道輪案内されるアンギュラ玉軸受用の合成樹脂製保持器において、
前記ポケットの保持器周方向で対向する一対の端面を、ボールの中心および軸受中心線を含む仮想平面に平行する平面としたことを特徴とするアンギュラ玉軸受用の合成樹脂製保持器。
【請求項２】
外輪と内輪間に、軌道輪案内される合成樹脂製の保持器を組込み、その保持器に形成された複数のポケットのそれぞれ内部にボールを組込んだアンギュラ玉軸受において、
前記ポケットの保持器周方向で対向する一対の端面を、ボールの中心および軸受中心線を含む仮想平面に平行する平面としたことを特徴とするアンギュラ玉軸受。
【発明の詳細な説明】
【技術分野】
【０００１】
この発明は、一般の産業機械に用いられるアンギュラ玉軸受用の合成樹脂製保持器およびアンギュラ玉軸受に関するものである。
【背景技術】
【０００２】
工作機械は、生産性の向上のため、高効率化が急速に進む現状にある。その工作機械の主軸を回転自在に支持する軸受として、アンギュラ玉軸受、円筒ころ軸受、円錐ころ軸受が一般的に使用されている。
【０００３】
これらの軸受のうち、アンギュラ玉軸受は、高速性に優れているため、高効率化が求められる工作機械に採用される傾向が増加している。
【０００４】
アンギュラ玉軸受には、例えば、特許文献１に記載されているように、保持器を転動体で案内する転動体案内タイプと、外輪または内輪で保持器を案内する軌道輪案内タイプとが存在する。
【０００５】
アンギュラ玉軸受の潤滑には、オイルエアーによる潤滑方式と、グリースによる潤滑方式とがあり、オイルエアー潤滑は、グリース潤滑に比較して高速性に優れるものの、環境問題を発生させる可能性があり、その環境の負荷低減の配慮からグリース潤滑する方式が採用されることが多くなっている。
【０００６】
ところで、保持器を転動体案内するグリース潤滑のアンギュラ玉軸受においては、使用可能な回転速度領域はｄｎ８５万程度が上限であるため、高効率化が要求される工作機械の主軸支持用に採用することはできず、上記高効率化の要求を満足させるには、保持器を軌道輪案内するアンギュラ玉軸受が不可欠になってくる。
【特許文献１】特開平７−４４３９号公報
【発明の開示】
【発明が解決しようとする課題】
【０００７】
ところで、保持器を軌道輪案内する従来のアンギュラ玉軸受においては、図３(Ｉ)に示すように、保持器１１に形成されたポケット１２が円筒形であり、そのポケット１２とその内部に組込まれたボール１３との間にポケット隙間δが形成されているため、アンギュラ玉軸受の回転時、保持器１１はポケット隙間δ分だけ軸方向に変位することがある。
【０００８】
保持器１１が軸方向に変位すると、保持器１１の挙動が不安定になり易く、振動を発生させることになる。すなわち、軸受回転時、保持器１１が軸方向に変位しない状態では、ボール１３から保持器１１に負荷される荷重の方向は、図３(ＩＩ)の矢印(イ)で示すように、保持器１１の周方向に作用するが、保持器１１が軸方向に変位することでボール１３から保持器１１に負荷される荷重の方向が、図３(ＩＩＩ)の矢印(ロ)で示すように斜め方向に変化し、保持器１１に振動を与えることになる。
【０００９】
この振動により、保持器１１とその保持器１１の案内面である外輪内径面の接触が不安定になり、潤滑不良から異音の発生を引き起こす。
【００１０】
この発明の課題は、軸受回転時の保持器の挙動の安定化を図り、異音の発生を抑制することができるようにしたアンギュラ玉軸受用の合成樹脂製保持器およびアンギュラ玉軸受を提供することである。
【課題を解決するための手段】
【００１１】
上記の課題を解決するため、この発明に係るアンギュラ玉軸受用の合成樹脂製保持器においては、ボール組込み用の複数のポケットが周方向に間隔をおいて形成された軌道輪案内されるアンギュラ玉軸受用の合成樹脂製保持器において、前記ポケットの保持器周方向で対向する一対の端面を、ボールの中心および軸受中心線を含む仮想平面に平行する平面とした構成を採用したのである。
【００１２】
また、この発明に係るアンギュラ玉軸受においては、外輪と内輪間に、軌道輪案内される合成樹脂製の保持器を組込み、その保持器に形成された複数のポケットのそれぞれ内部にボールを組込んだアンギュラ玉軸受において、前記ポケットの保持器周方向で対向する一対の端面を、ボールの中心および軸受中心線を含む仮想平面に平行する平面とした構成を採用したのである。
【発明の効果】
【００１３】
上記のように、保持器に形成されたポケットの保持器周方向で対向する一対の端面を、ボールの中心および軸受中心線を含む仮想平面に平行する平面としたことによって、軸受回転時に保持器が軸方向に変位したとしても、ボールから保持器に負荷される荷重は常に保持器の周方向に作用する。
【００１４】
このように、ボールから保持器に負荷される荷重の方向が一定とされることで、保持器の挙動が安定し、異音の発生を抑制することができる。
【発明を実施するための最良の形態】
【００１５】
以下、この発明の実施の形態を図１および図２に基いて説明する。図１に示すように、アンギュラ玉軸受は、外輪１と、その内側に組込まれた内輪２と、上記外輪１と内輪２間に組込まれた保持器３および保持器３に保持されたボール４とからなる。
【００１６】
外輪１は、内径面に軌道溝５を有し、その軌道溝５と内輪２の外径面に形成された軌道溝６間に上記ボール４が組込まれている。
【００１７】
保持器３は、フェノール樹脂等の合成樹脂から成り、その保持器３にはボール４を保持する複数のポケット７が周方向に等間隔に設けられている。
【００１８】
図２(Ｉ)に示すように、各ポケット７の保持器周方向で対向する一対の端面７ａ，７ｂは、ボール４の中心および軸受中心線を含む仮想平面に平行する平面とされ、その端面７ａ，７ｂとボール４との間には周方向のポケット隙間ａが設けられている。
【００１９】
一方、ポケット７の保持器軸方向で対向する一対の側面７ｃ，７ｄは、ボール４の半径より曲率半径の大きい円弧面とされ、その側面７ｃ，７ｄとボール４との間には軸方向のポケット隙間ｂが設けられている。
【００２０】
外輪１とボール４の接触部および内輪２とボール４の接触部は、外輪１と内輪２間に封入されるグリースによって潤滑される。
【００２１】
上記のように、ポケット７の保持器周方向で対向する一対の端面７ａ，７ｂを平面とすることによって、軸受回転時に保持器３がポケット隙間ｂだけ軸方向に変位したとしても、ボール４から保持器３に負荷される荷重の方向は、図２(II)の矢印(ハ)で示すように保持器周方向の一方向のみとされる。
【００２２】
その結果、保持器３の挙動が安定し、保持器３とその案内面である外輪内径面間で良好な潤滑状態が保持されることになり、異音を発生させるようなことは無い。
【００２３】
実施の形態では、ポケット７の保持器軸方向で対向する一対の側面７ｃ，７ｄを円弧面としたが、互いに平行する平面としてもよい。一対の側面７ｃ，７ｄを円弧面とすることによって、ポケット７の保持器周方向で対向する一対の端面７ａ，７ｂの保持器軸方向の幅寸法を短くすることができ、逆に、保持器３の軸方向両側の環状部ではポケットの周方向の前後両側部での幅寸法を大きくとることができるため、強度的に強い保持器３を得ることができる。
【００２４】
また、実施の形態では、保持器３を外輪案内としたが、内輪案内としてもよい。
【図面の簡単な説明】
【００２５】
【図１】この発明に係るアンギュラ玉軸受の実施の形態を示す断面図
【図２】(Ｉ)は保持器に形成されたポケットの平面図、(II)は軸方向に変位した保持器にボールから荷重が負荷された状態の平面図
【図３】(Ｉ)は従来のポケットを示す平面図、(II)はボールから保持器に周方向の荷重が負荷された状態の平面図、(III)は軸方向に変位した保持器にボールから荷重が負荷された状態を示す平面図
【符号の説明】
【００２６】
１    外輪
２    内輪
３    保持器
４    ボール
７    ポケット
７ａ  端面
７ｂ  端面
【図１】
2007170470.tif 000003
【図２】
2007170470.tif 000004
【図３】
2007170470.tif 000005